(57)【特許請求の範囲】
【請求項１】
玄関子機（１）で呼出ボタン（１５）が操作されたときカメラ（１２）からの玄関の映像を録画ユニット（３）の外出ボタン（３０）の操作により前記録画ユニットの不揮発性メモリ（３８）に録画し、前記録画ユニットの再生ボタン（３９）の操作により前記録画ユニットに録画されていた玄関の映像を親機（２）のモニタ（２２）で再生するテレビドアホン装置であって、
前記録画ユニットは、前記玄関の映像を時間をおいて録画する時間設定をするタイマー（３５）と、前記玄関の映像をｎ（ｎは２以上の正の整数）回録画する録画回数を設定するカウンター（３６）と、前記時間をおいて録画された前記玄関の映像を各回の画像データおよびキャプチャー機能によるｎ分割画面画像データを前記不揮発性メモリに録画し、前記不揮発性メモリに録画された画像データを前記モニタに映像として表示するための画像圧縮伸長可能のコーデック（３３）とを備えたことを特徴とするテレビドアホン装置。
【発明の詳細な説明】
【０００１】
【発明の属する技術分野】
本発明は、玄関子機周囲の映像を室内親機においてモニタできるテレビドアホン装置に関し、特に来訪者の識別を容易にしたテレビドアホン装置に係わる。
【０００２】
【従来の技術】
従来から、来訪者の画像を室内でモニタできると共に、留守中呼出操作を行った来訪者の画像を録画し、帰宅後、再生できるテレビドアホン装置があった。
【０００３】
この種のテレビドアホン装置は、図２に示すように、戸外に設置される玄関子機１００と室内に設置される親機２００と、親機２００に接続される録画ユニット３００とから構成されている。玄関子機１００には、玄関子機周囲を撮影するカメラ１０２と、親機２００間との通話を行うためのスピーカ１０３及びマイク１０４と、来訪を知らせ親機２００を呼出すための呼出ボタン１０５とが設けられ、これらが親機２００間との信号の送受を行うためにそれぞれ接続されるインターフェース１０１が備えられる。
【０００４】
親機２００には、玄関子機１００のインターフェース１０１と信号の送受を行うためのインターフェース２０１が備えられる。インターフェース２０１には、玄関子機１００のカメラ１０２で撮影される画像を出画するためのモニタ２０２と、玄関子機１００と通話を行うためのスピーカ２０３及びレシーバ２０４と、これらの制御を行うＣＰＵ２０５とが接続される。
【０００５】
録画ユニット３００には、親機２００のインターフェース２０１と信号を送受するインターフェース３０１が備えられる。インターフェース３０１には、玄関子機１００のカメラ１０２から送られるアナログ画像信号を録画のためにデジタル信号に変換し、また、録画したデジタル信号をモニタに出画するためにアナログ変換するＡ／Ｄ・Ｄ／Ａ変換器３１１が接続されると共に、ＣＰＵ３０７が接続される。ＣＰＵ３０７には、ＣＰＵ３０７からの信号により経過時間を測定するタイマー３０５と、玄関子機１００のカメラ１０２から送られる画像信号の保存を行う「外出モード」を設定する外出ボタン３１０と、ＣＰＵ３０７の制御によりＡ／Ｄ・Ｄ／Ａ変換器３１１からのデジタル信号をＤＲＡＭ３０４に保存し、また、ＤＲＡＭ３０４に保存されるデジタル信号をＡ／Ｄ・Ｄ／Ａ変換器３１１へ出力させるメモリーコントローラ３１２と、ＤＲＡＭ３０４に保存されている映像を親機２００のモニタ２０２に出画させるための再生ボタン３０９とが接続される。
【０００６】
このようなテレビドアホン装置においては、先ず録画ユニット３００の外出ボタン３１０にて、「外出モード」をセットすると、外出モード中に玄関子機１００の呼出ボタン１０５が押された場合、呼出信号がインターフェース１０１、インターフェース２０１を通じて親機２００のＣＰＵ２０５に入力され、ＣＰＵ２０５から呼出検出信号が、録画ユニット３００のインターフェース３０１を介してＣＰＵ３０７に入力され、玄関呼出が検出される。録画ユニット３００において、ＣＰＵ３０７からの呼出検出信号によりタイマー３０５が駆動され経過時間の測定を開始し、玄関子機１００のカメラ１０２から出力されるアナログ映像信号がインターフェース１０１、インターフェース２０１、インターフェース３０１を通じてＡ／Ｄ・Ｄ／Ａ変換器３１１へ送られデジタル化されメモリコントローラ３１２に出力される。タイマー３０５から測定開始３秒後にＣＰＵ３０７へ所定時間経過信号が出力され、所定時間経過信号を受け取ったＣＰＵ３０７から、メモリコントローラ３１２へ保存信号が出力され、タイマー３０５の経過時間測定開始３秒後のＡ／Ｄ・Ｄ／Ａ変換器３１１でデジタル化された映像信号がＤＲＡＭ３０４へ保存され、玄関子機１００周囲の映像が録画される。
【０００７】
このように録画された映像の再生は、録画ユニット３００の再生ボタン３０９が押され、再生信号がＣＰＵ３０７に入力されると、ＣＰＵ３０７で再生信号が検出され、インターフェース３０１、インターフェース２０１を通じＣＰＵ２０５へ再生信号が出力される。これによりＣＰＵ２０５によりモニタ２０２がＯＮされる。またＣＰＵ３０７はメモリコントローラ３１２を駆動してＤＲＡＭ３０４に保存されたデジタル映像信号をＡ／Ｄ・Ｄ／Ａ変換器３１１でアナログ映像信号に変換し、インターフェース３０１、インターフェース２０１を通じモニタ２０２へ送られる。このようにして、録画された玄関周囲の映像がモニタ２０２に出画され再生される。
【０００８】
【発明が解決しようとする課題】
このようなテレビドアホン装置においては、玄関子機１００の呼出ボタン１０５が操作された後３秒後にカメラ１０２によって撮影される映像が録画される。このように、呼出ボタン１０５の操作後３秒後の一度だけしか録画されないため、その時点で来訪者が顔を動かした場合等来訪者がカメラ１０２の撮影範囲外に移動して、必ずしも撮影範囲に存在するとは限らず、正面から録画できるとは限らなかった。このため、録画された映像を再生しても来訪者が容易に識別できない場合もあった。
【０００９】
本発明は上述の難点を解消するためになされたもので、来訪者が玄関子機のカメラによって撮影される確率を高め、来訪者の識別を容易にすることができるテレビドアホン装置を提供することを目的とする。
【００１０】
【課題を解決するための手段】
このような目的を達成するため、本発明によるテレビドアホン装置は、玄関子機で呼出ボタンが操作されたときカメラからの玄関の映像を録画ユニットの外出ボタンの操作により録画ユニットの不揮発性メモリに録画し、録画ユニットの再生ボタンの操作により録画ユニットに録画されていた玄関の映像を親機のモニタで再生するテレビドアホン装置であって、録画ユニットは、玄関の映像を時間をおいて録画する時間設定をするタイマーと、玄関の映像をｎ（ｎは２以上の正の整数）回録画する録画回数を設定するカウンターと、時間をおいて録画された玄関の映像を各回の画像データおよびキャプチャー機能によるｎ分割画面画像データを不揮発性メモリに録画し、不揮発性メモリに録画された画像データをモニタに映像として表示するための画像圧縮伸長可能のコーデックとを備えたものである。
【００１１】
このようなテレビドアホン装置によれば、来訪者の映像を適切な時間をおいて複数回録画するため、複数の映像の何れかに来訪者の顔が容易に識別できる映像が含まれている確率が高く、来訪者が識別できないという事態の発生を著しく減少させることができる。またモニタ画面を分割して同時に表示することにより、複数回に亘って録画した映像を一挙に確認できるため、効率よく容易に認識することができる。
【００１２】
【発明の実施の形態】
以下、本発明のテレビドアホン装置の好ましい形態例について図面を参照して説明する。
【００１３】
図１に示すように、テレビドアホン装置は、戸外に設置される玄関子機１と、室内に設置される親機２と、玄関子機１及び親機２に接続される録画ユニット３とから構成される。
【００１４】
玄関子機１には、玄関子機周囲を撮影するカメラ１２と、親機２間との通話を行うためのスピーカ１３及びマイク１４と、来訪を知らせ親機２を呼出すための呼出ボタン１５とが設けられ、これらが親機２間との信号の送受を行うためにそれぞれ接続されるインターフェース１１が備えられる。
【００１５】
親機２には、玄関子機１のインターフェース１１と信号の送受を行うためのインターフェース２１が備えられる。インターフェース２１には、玄関子機１のカメラ１２で撮影される画像を出画するためのモニタ２２と、玄関子機１と通話を行うためのスピーカ２３及びレシーバ２４と、これらの制御を行うＣＰＵ２５とが接続される。
【００１６】
録画ユニット３には、玄関子機１のインターフェース１１及び親機２のインーフェース２１とそれぞれ信号を送受するインターフェース３１が備えられる。インターフェース３１には、玄関子機１のカメラ１２から送られるアナログ画像信号を保存するためにデジタル信号に変換し、また、録画したデジタル信号をモニタに出画するためにアナログ変換するデジタルビデオコーデック３２が接続されると共に、ＣＰＵ３７が接続される。ＣＰＵ３７には、ＣＰＵ３７からの測定開始信号により来訪者を撮像するのに適切な時間として設定された所定の経過時間を測定して経過信号をＣＰＵ３７へ出力するタイマー３５と、タイマー３５から経過信号を入力したＣＰＵ３７の制御によりデジタルビデオコーデック３２からのデジタル信号を圧縮してＤＲＡＭ３４に保存させるコーデックであるＪＰＥＧコーデック３３が接続される。更に、ＣＰＵ３７にはＤＲＡＭ３４に保存されたデータを読み出し保存する不揮発性メモリであるフラッシュＲＯＭ３８が接続されると共に、玄関子機１の映像をｎ（ｎは２以上の正の整数）回録画する録画回数を設定するカウンター３６が接続される。また、ＣＰＵ３７には玄関子機１のカメラ１２から送られる画像信号の保存を行う「外出モード」を設定する外出ボタン３０と、保存されている映像を親機２のモニタ２２に出画させるための再生ボタン３９とが接続される。
【００１７】
このようなデレビドアホン装置の動作を説明する。
【００１８】
録画ユニット３の外出ボタン３０を操作して「外出モード」を設定する。外出モード設定中に玄関子機１の呼出ボタン１５が押されると、玄関子機１のインターフェース１１、親機２のインターフェース３１を介して、親機２のＣＰＵ２５が呼出を検出すると共に、玄関子機１のインターフェース１１、親機２のインターフェース３１、録画ユニット３のインターフェース２１を介して、録画ユニット３のＣＰＵ３７が呼出を検出する。呼出を検出した親機２のＣＰＵ２５は玄関子機１のカメラ１２を駆動させ、録画ユニット３のＣＰＵ３７はタイマー３５へ測定開始信号を出力し、タイマー３５をスタートさせると共に、カウンター３６を０にセットする。カメラ１２から出力されるアナログ信号は玄関子機１のインターフェース１１、録画ユニット３のインターフェース３１を介してデジタルビデオコーデック３２へ出力され、デジタルビデオコーデック３２においてデジタル映像信号に変換される。タイマー３５から設定された時間経過後ＣＰＵ３７へ測定信号が出力され、測定信号を入力したＣＰＵ３７の制御によりデジタルビデオコーデック３２からデジタル映像信号がＪＰＥＧコーデック３３へ出力される。ＪＰＥＧコーデック３３においてデジタル映像信号が圧縮され、１／１サイズの画像データとしてＤＲＡＭ３４に保存される。また、このとき、ＪＰＥＧコーデック３３のキャプチャー機能を用いて、１／ｎサイズに縮小された分割画像データも作成して、ＤＲＡＭ３４に保存する。その後、ＣＰＵ３７の制御によりＪＰＥＧコーデック３３においてＤＲＡＭ３４から１／１サイズの画像データが読み出され、ＣＰＵ３７を介して転送され、フラッシュＲＯＭ３８に玄関子機１のカメラ１２で撮影された１回の映像が保存される。ここで、ｎは２以上の正の整数である。また、このときＣＰＵ３７はカウンター３６のカウント数を調べ、カウント数がｎ−１に達していないときはカウンタ数を１増加させ、再度タイマー３５に測定開始信号を出力させ、設定時間の測定をスタートさせる。上記動作がカウンター３６のカウント数がｎ−１回に達しない間は反復して行われ、１／ｎサイズの分割画像データをタイル状に並べたｎ分割画面画像データがＤＲＡＭ３４に作成される。その後、ＣＰＵ３７の制御によりＪＰＥＧコーデック３３においてＤＲＡＭ３４からｎ分割画面画像データが読み出され、ＣＰＵ３７を介して転送され、フラッシュＲＯＭ３８に玄関子機１のカメラ１２で撮影されたｎ回の画像データがｎ分割画面画像データとして保存される。カウンター３６のカウント数がｎ−１に達しているとき、ＣＰＵ３７はタイマー３５の測定開始信号を出力しない。また、カメラ１２は親機２のＣＰＵ２５からの制御信号により駆動が停止され、玄関子機１の周囲の撮影は停止される。
【００１９】
このようにフラッシュＲＯＭ３８に保存されたｎ分割画面画像データの再生は、録画ユニット３の再生ボタン３９が押され再生信号がＣＰＵ３７において検出されることにより行われる。ＣＰＵ３７から出力される再生信号がインターフェース３１、親機２のインターフェース２１を介しＣＰＵ２５に入力されると、ＣＰＵ２５の制御によりモニタ２２がＯＮされる。また、録画ユニット３において、ＣＰＵ３７によりフラッシュＲＯＭ３８に保存されたｎ分割画面画像データ及び１／１サイズの画像データが取り出されＤＲＡＭ３４へ転送されると共に、ＪＰＥＧコーデック３３にデータ伸長命令が出力される。ＪＰＥＧコーデック３３において、ＤＲＡＭ３４からデータが読み込まれ、元のデジタル映像信号に伸長された後、デジタルビデオコーデック３２へ出力される。デジタルビデオコーデック３２において一画面画像データはアナログ一画面画像データに変換されてインターフェース３１、親機２のインターフェース２１を介してモニタ２２へ送られ、録画された玄関子機１の周囲の映像が再生される。
【００２０】
上記説明は本発明の一実施例の説明であって、本願発明はこれに限定されず、録画する時間の間隔はこれに限定されるものではなく、来訪者を撮影するために適切な時間の間隔であれば、一定間隔毎でなくとも、１秒経過後、３秒経過後、６秒経過後等設定時間経過後に録画を行うものであってもよい。
【００２１】
【発明の効果】
以上の説明から明らかなように、本発明のテレビドアホン装置によれば、外出時に、来訪者が玄関子機の呼出ボタンを押してから適切な時間をおいて複数回（ｎ回）に亘り玄関子機周囲の映像を録画し、ｎ回の録画の映像を画面をｎ分割して同時にモニタ表示するようにしたため、呼出ボタンを操作した来訪者がカメラの撮影範囲外となって、画面に表示されないという事態の発生を防止することができ、来訪者を容易に識別することができる。
【図面の簡単な説明】
【図１】本発明のテレビドアホン装置の一実施例を示すブロック図。
【図２】従来のテレビドアホン装置を示すブロック図。
【符号の説明】
１・・・・・玄関子機
１２・・・・・カメラ
１５・・・・・呼出ボタン
２・・・・・親機
２２・・・・・モニタ
３・・・・・録画ユニット
３０・・・・・外出ボタン
３３・・・・・ＪＰＥＧコーデック（コーデック）
３５・・・・・タイマー
３６・・・・・カウンター
３８・・・・・フラッシュＲＯＭ（不揮発性メモリ）
３９・・・・・再生ボタン
【図１】
0004331349.tif 000002
【図２】
0004331349.tif 000003